(57)【要約】【課題】使用者が音楽などの高音質のサウンドを歪みなく、より効果的に聴取可能に構成されるスピーカーユニットを備えた移動通信端末機を提供することにある。【解決手段】移動通信端末機は、第１ボディーと、前記第１ボディーにヒンジ結合される第２ボディーと、前記第２ボディーが第１ボディーに折り畳まれた状態で発生したサウンドが外部に直接伝達できるように、前記第２ボディーの外側面に設置されるスピーカーユニットとを含むことを特徴とする。【選択図】図１
2006135961.tif 000002
【特許請求の範囲】
【請求項１】
第１ボディーと、
前記第１ボディーにヒンジ結合される第２ボディーと、
前記第２ボディーが第１ボディーに折り畳まれた状態で発生したサウンドが外部に直接伝達できるように、前記第２ボディーの外側面に設置されるスピーカーユニットと
を含むことを特徴とする移動通信端末機。
【請求項２】
前記スピーカーユニットが、前記第２ボディーの外側面の外部に突出開放可能に設置されることを特徴とする請求項１に記載の移動通信端末機。
【請求項３】
前記スピーカーユニットが、前記第２ボディーの外側面に対して上側方向に移動することを特徴とする請求項２に記載の移動通信端末機。
【請求項４】
前記スピーカーユニットは、複数個が備えられて同一方向に移動することを特徴とする請求項２に記載の移動通信端末機。
【請求項５】
前記スピーカーユニットが前記第２ボディーの内部に閉じている状態で発生するサウンドが外部に伝達されるように前記第２ボディーの内部に外部と連通するサウンド伝達通路（channel）が形成されることを特徴とする請求項２に記載の移動通信端末機。
【請求項６】
前記サウンド伝達通路が、前記第２ボディーの内側面に形成された複数の第１通孔を通じて外部と連通することを特徴とする請求項５に記載の移動通信端末機。
【請求項７】
前記スピーカーユニットは少なくとも１対のスピーカーで構成され、前記第１通孔は各スピーカーに対応することを特徴とする請求項６に記載の移動通信端末機。
【請求項８】
複数の第２通孔が、前記第２ボディーの側面に形成され、前記サウンド伝達通路と連通することを特徴とする請求項６に記載の移動通信端末機。
【請求項９】
前記第２通孔が、前記第２ボディーの側面に沿って所定間隔で形成されることを特徴とする請求項８に記載の移動通信端末機。
【請求項１０】
前記第２ボディーの外側面には、前記スピーカーユニットが前記第２ボディーの内外部に移動可能に装着されるように装着孔が形成され、前記スピーカーユニットが前記第２ボディーの内部に移動するとき、前記装着孔は前記スピーカーユニットにより閉じられることを特徴とする請求項２に記載の移動通信端末機。
【請求項１１】
前記装着孔の内側には、前記スピーカーユニットが載置される載置部が備えられることを特徴とする請求項１０に記載の移動通信端末機。
【請求項１２】
前記第１ボディーにはキーパッドが備えられ、前記第２ボディーにはディスプレイが備えられ、前記スピーカーユニットは前記ディスプレイと前記第２ボディーの先端側面との間に形成された内部空間に備えられることを特徴とする請求項２に記載の移動通信端末機。
【請求項１３】
前記スピーカーユニットが前記第２ボディーの外側面の内外部に移動可能に、前記スピーカーユニットと連動するように駆動ユニットが連結され、前記駆動ユニットは前記第２ボディーの内部に備えられることを特徴とする請求項２に記載の移動通信端末機。
【請求項１４】
前記駆動ユニットが前記スピーカーユニットの後端に連結され、前記スピーカーユニットが前記駆動ユニットにより回動することを特徴とする請求項１３に記載の移動通信端末機。
【請求項１５】
前記駆動ユニットが、
前記第２ボディーの内部に設置されるセクターギアと、前記セクターギアに噛み合うように軸着されるピニオンと、前記セクターギアの軸に一端部が固定され、前記スピーカーユニットに他端部が固定される連結レバーとを含むことを特徴とする請求項１４に記載の移動通信端末機。
【請求項１６】
キーパッドを備えた第１ボディーと、
前記第１ボディーにヒンジ結合され、ディスプレイを備えた第２ボディーと、
前記第２ボディーが第１ボディーに折り畳まれた状態で発生するサウンドが外部に直接伝達されるように前記第２ボディーの外側面の外部に突出開放可能に前記第２ボディーに設置されるスピーカーユニットと、
を含むことを特徴とする移動通信端末機。
【請求項１７】
前記スピーカーユニットが、前記ディスプレイと前記第２ボディーの一端との間に形成された内部空間に備えられることを特徴とする請求項１６に記載の移動通信端末機。
【請求項１８】
前記スピーカーユニットが前記第２ボディーの内部に閉じた状態で発生するサウンドが外部に伝達されるように前記第２ボディーの内部には外部と連通するサウンド伝達通路が形成されることを特徴とする請求項１６に記載の移動通信端末機。
【請求項１９】
前記サウンド伝達通路が、前記第２ボディーの内側面に形成された複数の第１通孔を通じて外部と連通することを特徴とする請求項１６に記載の移動通信端末機。
【請求項２０】
複数の第２通孔が、前記第２ボディーの側面に形成され、前記サウンド伝達通路と連通することを特徴とする請求項１６に記載の移動通信端末機。
【発明の詳細な説明】
【技術分野】
【０００１】
本発明は、移動通信端末機に関し、特に、使用者が音楽などの高音質サウンドをより効果的に聴取できるように構成されたスピーカーユニットを備えた移動通信端末機に関する。
【背景技術】
【０００２】
移動通信端末機は、使用者が手軽に携帯でき、室内又は室外のどこでも使用でき、さらに、移動中も使用できる無線移動通信機器であり、最近、急速に使用者が増加していて、その使用範囲も拡散してきている。
【０００３】
このような移動通信端末機の機能は、その使用初期段階では、音声送受信の機能に限定されていたが、徐々にその使用範囲が拡大されて、最近は、メール送受信及び各種情報伝送、さらに、無線インターネット接続、マルチメディア機能の実現などの多様な機能が実行できるように発展してきた。
【０００４】
さらに、最近の移動通信端末機は、音楽のような多様な音情報をコンピュータからダウンロードして再生することもできる。このような音楽をより原音に近く再生するために、移動通信端末機に性能の良いスピーカーが使用されている。
【０００５】
図６は、従来技術による保存された音楽などを再生可能に構成された折り畳み型移動通信端末機の構造を示す。
【０００６】
図６に示すように、従来の折り畳み型移動通信端末機は、内部にメインＰＣＢ（図示せず）を備えた本体１０と、本体１０にヒンジ連結される蓋部２０とから構成される。本体１０の内側面には、各種文字及び数字情報を入力するための第１キーパッド１３が備えられ、該第１キーパッド１３の上側には、通話及び電源キーを含む多様な制御キーから構成された第２キーパッド１５が備えられる。蓋部２０の内側面には、文字又は映像を表示するためのメインディスプレイ２５が備えられ、蓋部２０の外側面には、補助ディスプレイ（図示せず）が備えられる。また、蓋部２０の上側には、相手の音声が出力される音声出力部２７が備えられ、本体１０の下側には使用者の音声が入力される音声入力部１７が備えられる。
【０００７】
一方、蓋部２０の内側面の上側、すなわち、音声出力部２７の両側には、本体１０に内蔵されたメモリチップにＭＰ３などのファイル形式で保存された音楽及び各種音情報を３Ｄ立体音響で出力するスピーカー３０が備えられる。スピーカー３０は、より立体的な音質で音楽を再生するために２つが所定間隔を置いて備えられている。
【０００８】
このように構成された従来の折り畳み型移動通信端末機は、保存された音楽などの音源を再生するために、まず、蓋部２０を開いた状態で第２キーパッド１５を利用して保存された音源の再生命令を入力すると、予めメモリチップに保存されていた音源が再生されて１対のスピーカー３０から外部に出力される。また、蓋部２０を閉じた状態で蓋部２０の外側面に備えられた操作キーを利用して保存された音源を再生することもできる。
【０００９】
しかしながら、従来の移動通信端末機において、蓋部２０が本体１０に折り畳まれると、蓋部２０の内側面に備えられたスピーカー３０が本体１０と当接してしまう。従って、蓋部２０が本体１０に折り畳まれた状態で音源を再生すると、スピーカー３０からの音が外部に正常に出力されず、本体１０がその音波進行の障害になる。従って、スピーカー３０から出力される音源の質的低下が発生する。
【００１０】
また、スピーカーが移動通信端末機の所定位置に固定されているため、再生される音の進行方向が制限される。これにより、スピーカーから出力される音が多様な方向に進行することができないため、使用者の満足感が低下するという問題があった。
【発明の開示】
【発明が解決しようとする課題】
【００１１】
本発明は、前述したような従来の移動通信端末機の問題点を解決するために提案されたもので、本発明の目的は、使用者が音楽などの高音質のサウンドを歪みなくより効果的に聴取可能に構成されるスピーカーユニットを備えた移動通信端末機を提供することにある。
【課題を解決するための手段】
【００１２】
このような目的を達成するために本発明に係る移動通信端末機は、第１ボディーと、前記第１ボディーにヒンジ結合される第２ボディーと、前記第２ボディーが第１ボディーに折り畳まれた状態で発生したサウンドが外部に直接伝達できるように、前記第２ボディーの外側面に設置されるスピーカーユニットとを含むことを特徴とする。
【００１３】
本発明により、以下が提供される：
（項目１）
第１ボディーと、
前記第１ボディーにヒンジ結合される第２ボディーと、
前記第２ボディーが第１ボディーに折り畳まれた状態で発生したサウンドが外部に直接伝達できるように、前記第２ボディーの外側面に設置されるスピーカーユニットと
を含むことを特徴とする移動通信端末機。
【００１４】
（項目２）
前記スピーカーユニットが、前記第２ボディーの外側面の外部に突出開放可能に設置されることを特徴とする項目１に記載の移動通信端末機。
【００１５】
（項目３）
前記スピーカーユニットが、前記第２ボディーの外側面に対して上側方向に移動することを特徴とする項目２に記載の移動通信端末機。
【００１６】
（項目４）
前記スピーカーユニットは、複数個が備えられて同一方向に移動することを特徴とする項目２に記載の移動通信端末機。
【００１７】
（項目５）
前記スピーカーユニットが前記第２ボディーの内部に閉じている状態で発生するサウンドが外部に伝達されるように前記第２ボディーの内部に外部と連通するサウンド伝達通路（channel）が形成されることを特徴とする項目２に記載の移動通信端末機。
【００１８】
（項目６）
前記サウンド伝達通路が、前記第２ボディーの内側面に形成された複数の第１通孔を通じて外部と連通することを特徴とする項目５に記載の移動通信端末機。
【００１９】
（項目７）
前記スピーカーユニットは少なくとも１対のスピーカーで構成され、前記第１通孔は各スピーカーに対応することを特徴とする項目６に記載の移動通信端末機。
【００２０】
（項目８）
複数の第２通孔が、前記第２ボディーの側面に形成され、前記サウンド伝達通路と連通することを特徴とする項目６に記載の移動通信端末機。
【００２１】
（項目９）
前記第２通孔が、前記第２ボディーの側面に沿って所定間隔で形成されることを特徴とする項目８に記載の移動通信端末機。
【００２２】
（項目１０）
前記第２ボディーの外側面には、前記スピーカーユニットが前記第２ボディーの内外部に移動可能に装着されるように装着孔が形成され、前記スピーカーユニットが前記第２ボディーの内部に移動するとき、前記装着孔は前記スピーカーユニットにより閉じられることを特徴とする項目２に記載の移動通信端末機。
【００２３】
（項目１１）
前記装着孔の内側には、前記スピーカーユニットが載置される載置部が備えられることを特徴とする項目１０に記載の移動通信端末機。
【００２４】
（項目１２）
前記第１ボディーにはキーパッドが備えられ、前記第２ボディーにはディスプレイが備えられ、前記スピーカーユニットは前記ディスプレイと前記第２ボディーの先端側面との間に形成された内部空間に備えられることを特徴とする項目２に記載の移動通信端末機。
【００２５】
（項目１３）
前記スピーカーユニットが前記第２ボディーの外側面の内外部に移動可能に、前記スピーカーユニットと連動するように駆動ユニットが連結され、前記駆動ユニットは前記第２ボディーの内部に備えられることを特徴とする項目２に記載の移動通信端末機。
【００２６】
（項目１４）
前記駆動ユニットが前記スピーカーユニットの後端に連結され、前記スピーカーユニットが前記駆動ユニットにより回動することを特徴とする項目１３に記載の移動通信端末機。
【００２７】
（項目１５）
前記駆動ユニットが、
前記第２ボディーの内部に設置されるセクターギアと、前記セクターギアに噛み合うように軸着されるピニオンと、前記セクターギアの軸に一端部が固定され、前記スピーカーユニットに他端部が固定される連結レバーとを含むことを特徴とする項目１４に記載の移動通信端末機。
【００２８】
（項目１６）
キーパッドを備えた第１ボディーと、
前記第１ボディーにヒンジ結合され、ディスプレイを備えた第２ボディーと、
前記第２ボディーが第１ボディーに折り畳まれた状態で発生するサウンドが外部に直接伝達されるように前記第２ボディーの外側面の外部に突出開放可能に前記第２ボディーに設置されるスピーカーユニットと、
を含むことを特徴とする移動通信端末機。
【００２９】
（項目１７）
前記スピーカーユニットが、前記ディスプレイと前記第２ボディーの一端との間に形成された内部空間に備えられることを特徴とする項目１６に記載の移動通信端末機。
【００３０】
（項目１８）
前記スピーカーユニットが前記第２ボディーの内部に閉じた状態で発生するサウンドが外部に伝達されるように前記第２ボディーの内部には外部と連通するサウンド伝達通路が形成されることを特徴とする項目１６に記載の移動通信端末機。
【００３１】
（項目１９）
前記サウンド伝達通路が、前記第２ボディーの内側面に形成された複数の第１通孔を通じて外部と連通することを特徴とする項目１６に記載の移動通信端末機。
【００３２】
（項目２０）
複数の第２通孔が、前記第２ボディーの側面に形成され、前記サウンド伝達通路と連通することを特徴とする項目１６に記載の移動通信端末機。
【発明の効果】
【００３３】
本発明に係る移動通信端末機は、スピーカーユニットが外部に突出開放可能に構成されるため、第２ボディーが第１ボディーに折り畳まれている状態でも、再生されるサウンドの伝播に歪み又は妨害なく使用者が高品質のサウンドを聞くことができるという効果がある。
【００３４】
また、第１ボディーが第２ボディーから開いている状態でスピーカーユニットが第２ボディーの内部に完全に収納されていても、ボディーの内部にサウンド伝達通路及び該サウンド伝達通路と外部を連通させる通孔が形成されているため、再生されるサウンドが外部に効果的に伝達でき、よって、製品の信頼性及び競争力が向上するという効果がある。
【発明を実施するための最良の形態】
【００３５】
以下、図面に基づいて本発明に係るスピーカーユニットを備えた移動通信端末機の実施形態を詳細に説明する。
【００３６】
本発明に係る移動通信端末機のスピーカーユニットには、複数の実施形態が存在するが、以下は、最も望ましい実施形態について説明する。
【００３７】
また、本発明の範囲は、以下のような特定実施形態のみに限定されるものでなく、特許請求の範囲の記載の範囲内で変更できる。
【００３８】
図１は、本発明に係るスピーカーユニットを備えた移動通信端末機の一実施形態を示す斜視図であり、図２及び図３は、本発明に係るスピーカーユニットの一実施形態の構成を示す側断面図である。
【００３９】
図示されたように、本発明に係る移動通信端末機の一実施形態は、第１ボディー１００と、第１ボディー１００にヒンジ結合される第２ボディー２００とから構成され、第２ボディー２００が第１ボディー１００に対して開閉する。
【００４０】
第１ボディー１００の内側面には文字及び数字などを入力するキーパッド（図示せず）が備えられ、第１ボディー１００の外側面には移動通信端末機に電源を供給するバッテリー１１０が装着される。
【００４１】
第２ボディー２００には、文字情報及び映像情報を表示するディスプレイが備えられ、画像を撮影するカメラモジュール２１０が備えられる。
【００４２】
前記ディスプレイは、第１ボディー１００の内側面と対面する第２ボディー２００の内側面に備えられる内部ディスプレイ２２０と、第２ボディー２００の外側面に備えられる外部ディスプレイ２１５とに区分される。
【００４３】
一方、本発明に係る移動通信端末機の一実施形態は、第１ボディー１００の一端側面に備えられたレセプタクル１２０を利用してコンピュータのような外部機器と接続可能であり、外部機器からダウンロードした音源が第１ボディー１００に内蔵されたメモリチップに保存される。また、前記メモリチップに保存された音楽などの音源を再生するときに発生するサウンドが出力されるスピーカーユニット３００が第２ボディー２００の外側面に備えられる。
【００４４】
ここで、スピーカーユニット３００は、第２ボディー２００の外側面に形成された補助コントロールキー２４０又は第１ボディー１００のキーパッドを操作することにより、第２ボディー２００の外部に突出開放可能に設置される。スピーカーユニット３００は、内部にスピーカー（図示せず）を収納してその一面が開放されたハウジング３１０と、ハウジング３１０の前記開放面を覆蓋し、スピーカーから発生するサウンドが外部に出力可能に形成されるカバー３２０とから構成される。
【００４５】
スピーカーユニット３００が第２ボディー２００の外側面に設置される構造をより詳細に説明すると、次の通りである。
【００４６】
第２ボディー２００の外側面には、スピーカーユニット３００が第２ボディー２００の外部に突出開放可能に装着できるように装着孔２５０が形成される。装着孔２５０の内部には、スピーカーユニット３００が装着孔２５０に収納されて第２ボディー２００の内部に装着されるときに安定して装着されるように載置部２６０が形成される。載置部２６０にスピーカーユニット３００が載置されると、装着孔２５０はスピーカーユニット３００により完全に閉じられる。
【００４７】
一方、スピーカーユニット３００が第２ボディー２００の内部に完全に収納されたときにスピーカーユニット３００から発生するサウンドが第２ボディー２００の外部に伝達されるように、第２ボディー２００の内部には外部と連通するサウンド伝達通路（channel）４００が形成される。
【００４８】
また、第２ボディー２００にはサウンド伝達通路４００を通過するサウンドが第２ボディー２００の外部に出力されるように通孔が形成される。
【００４９】
図２に示すように、サウンド伝達通路４００と外部を連通させるように前記第２ボディー２００の内側面には第１通孔４２０が形成される。図示されたように、スピーカーユニット３００は、１対又はそれ以上の個数で、第２ボディー２００に備えられる。また、第１通孔４２０の個数は、スピーカーユニット３００の個数に応じて決定される。すなわち、第１通孔４２０は、各スピーカーユニット３００にそれぞれ対応する。各第１通孔４２０は、サウンドが第２ボディー２００の外部に伝達できるように構成されたカバー４３０により覆蓋される。
【００５０】
また、図４に示すように、本発明に係る移動通信端末機のスピーカーユニットの他の実施形態によると、前記サウンド伝達通路と外部を連通させるように第２ボディー２００の内側面以外に第２ボディー２００の側面に第２通孔４７０を形成することもできる。さらに、第２ボディー２００の先端側面に第２通孔４７０が形成されることが好ましい。第２通孔４７０の個数もスピーカーユニット３００の個数に応じて決定される。すなわち、第２通孔４７０は、各スピーカーユニット３００にそれぞれ対応して構成される。このような第２通孔４７０は、第２ボディー２００の側面に沿って所定間隔で形成されることが好ましい。
【００５１】
また、スピーカーユニット３００とそれに対応するサウンド伝達通路４００及び通孔４２０、４７０は、第２ボディー２００に備えられたディスプレイ２１５、２２０の一端と第２ボディー２００の一端、すなわち、先端側面との間に形成された内部空間に備えられることが好ましい。
【００５２】
一方、スピーカーユニット３００が第２ボディー２００の外側面の内外部に移動するように駆動ユニットが備えられ、前記駆動ユニットは、スピーカーユニット３００と連動するように連結されて第２ボディー２００の内部に備えられる。
【００５３】
図２〜図４を参照して、本発明に係るスピーカーユニットの駆動ユニットの一実施形態を説明する。
【００５４】
図示されたように、前記駆動ユニットは、スピーカーユニット３００の後端に連結固定され、スピーカーユニット３００は、その後端を中心軸として回動できる。すなわち、スピーカーユニット３００は、前記駆動ユニットにより第２ボディー２００の外側面に対して上側方向に回動でき、好ましくは、複数のスピーカーユニット３００は同一方向に同時に回動する。
【００５５】
より詳しく説明すると、前記駆動ユニットは、第２ボディー２００の内部に設置されるセクターギア５１０と、セクターギア５１０に噛み合うように軸着されるピニオン５２０と、セクターギア５１０の軸に一端部が固定され、スピーカーユニット３００に他端部が固定される連結レバー５３０とから構成される。また、ピニオン５２０は、例えば、第２ボディー２００の内部に固定される小型モータ（図示せず）の軸に直列に連結され、前記駆動ユニットは、第１ボディー１００又は第２ボディー２００に備えられたコントロールキーを押すと、モータが回転することにより駆動される。
【００５６】
一方、図５は、本発明に係る移動通信端末機に備えられた駆動ユニットの他の実施形態を示す。図５に示すように、前記駆動ユニットは、スピーカーユニット３００の後端がモータ（図示せず）の軸に直接ピン結合されて第２ボディー２００の外側面の外部にスピーカーユニット３００が突出開放されるように構成される。
【００５７】
以下、前述したような本発明に係る移動通信端末機に備えられたスピーカーユニットの動作について図２〜図４を参照して説明する。
【００５８】
まず、図２を参照して、第１ボディー１００が第２ボディー２００に閉じている状態、すなわち、移動通信端末機が折り畳まれた状態で、内部メモリに保存された音源ファイルを再生する場合について説明する。
【００５９】
移動通信端末機に備えられたコントロールキーを押すと、駆動ユニットによりスピーカーユニット３００が第２ボディー２００の外側面の外部に開放される。より詳しく説明すると、駆動ユニットのモータが回転し、これによりピニオン５２０とセクターギア５１０が共に回転し、セクターギア５１０の回転によりスピーカーユニット３００が回動して第２ボディー２００の外側面の外部に開放される。こうすると、サウンドが出力されるスピーカーユニット３００のカバー３２０が前方側を向き、このような状態で、音楽などの保存されている音源ファイルを選択して聞くことができる。このように選択された音源ファイルの再生を停止しようとするとき、もう一度コントロールキーを押すと、駆動ユニットの動作が逆になる。すなわち、モータ、ピニオン５２０及びセクターギア５１０が逆方向に回転することにより、スピーカーユニット３００も逆方向に回動して第２ボディー２００の外側面の内側の載置部に載置されて閉じられる。
【００６０】
一方、図３及び図４を参照すると、第１ボディー１００が第２ボディー２００に対して開いている状態で内部メモリに保存された音源ファイルを再生する場合は、基本的に駆動ユニットが動作せずに第２ボディー２００の内部にスピーカーユニット３００が位置した状態でサウンドが再生される。ここで、第２ボディー２００に形成されているサウンド伝達通路４００及びそれを外部と連通させる第１通孔４２０及び第２通孔４７０を通じてサウンドが外部に出力され、使用者は出力される音源を聞くことができる。もちろん、第１ボディー１００が第２ボディー２００に対して開いている状態でも、使用者がコントロールキーを操作するすることにより、スピーカーユニット３００が第２ボディー２００の外側面の外部に開いた状態で音源を聞くこともできる。
【００６１】
ここで、第２ボディー２００が第１ボディー１００に対して折り畳まれているか否かに関係がなく、使用者がコントロールキーを操作することによりスピーカーユニット３００が第２ボディー２００の内部に位置しても、又は外部に位置しても音源を再生することができる。
【００６２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００６３】
【図１】本発明に係るスピーカーユニットを備えた移動通信端末機の一実施形態を示す斜視図である。
【図２】本発明に係る移動通信端末機のスピーカーユニットの一実施形態の第１作動状態を示す側断面図である。
【図３】本発明に係る移動通信端末機のスピーカーユニットの一実施形態の第２作動状態を示す側断面図である。
【図４】本発明に係る移動通信端末機のスピーカーユニットの他の実施形態を示す側断面図である。
【図５】本発明に係る駆動ユニットの他の実施形態を示す側断面図である。
【図６】従来の折り畳み型移動通信端末機を示す斜視図である。
【図１】
2006135961.tif 000003
【図２】
2006135961.tif 000004
【図３】
2006135961.tif 000005
【図４】
2006135961.tif 000006
【図５】
2006135961.tif 000007
【図６】
2006135961.tif 000008